【事件の表示】
　特願２００５−１１１５３７「音声付き画像提供システム」拒絶査定不服審判事件〔平成１８年１０月２６日出願公開、特開２００６−２９３５８０〕について、次のとおり審決する。
【結　論】
　本件審判の請求は、成り立たない。
【理　由】
第１．手続の経緯
　本願は、平成１７年４月８日の出願であって、平成２２年２月１２日付けの拒絶理由の通知に対し、平成２２年４月２１日付けで手続補正がなされたが、平成２２年５月１２日付けで拒絶査定がなされ、これに対し、平成２２年８月１１日に審判請求がなされるとともに、同日付けで手続補正がなされたものである。
　
第２．平成２２年８月１１日付けの手続補正についての補正却下の決定
［補正却下の決定の結論］
　　平成２２年８月１１日付けの手続補正を却下する。
［理由］
１．補正の内容
　上記手続補正により補正された特許請求の範囲の請求項のうち、請求項１の記載は次のとおりである。
　
「音声付き画像を印刷物を介して提供するための音声付き画像提供システムであって、
　印刷すべき画像データに対応付けられている音声データの有無を判別する判別手段と、
　画像データに対応付けられている音声データを、ネットワーク上の音声データ蓄積サーバーに送信し保存させる送信手段と、
　この送信手段により送信された音声データをネットワーク上で特定する識別情報を表わす音声データ受信用コードを取得するコード取得手段と、
　このコード取得手段により取得された音声データ受信用コードと前記画像データとを対応付けた音声データ受信用コード付き画像データを生成する生成手段と、
　前記判別手段により、対応付けられている音声データが無いと判別された場合には、当該判別のあった前記画像データを印刷手段へ出力させ、前記判別手段により、対応付けられている音声データが有ると判別された場合には、当該判別のあった前記画像データに対応付けられている音声データを、前記送信手段により前記音声データ蓄積サーバーに送信させるとともに、この送信された音声データをネットワーク上で特定する識別情報を表わす音声データ受信用コードを、前記コード取得手段により取得させ、且つ、この取得された音声データ受信用コードと前記画像データとが対応付けられた、前記生成手段による生成の前記音声データ受信用コード付き画像データを前記印刷手段へ出力させる制御手段と
　を備えたことを特徴とする音声付き画像提供システム。」
　
２．補正の適否
　この補正は、実質的に補正前の請求項１における判別手段による判別が、「対応付けられている音声データが無いと判別された場合」について限定するものである。
　したがって、本件補正は、平成１８年法律第５５号改正附則第３条第１項によりなお従前の例によるとされる同法による改正前の特許法（以下、「平成１８年改正前特許法」という）第１７条の２第４項第２号の規定による特許請求の範囲の減縮を目的とするものである。そこで、補正後の請求項１に係る発明（以下、「本願補正発明」という）が平成１８年改正前特許法第１７条の２第５項において準用する同法第１２６条第５項に規定された特許出願の際独立して特許を受けることができるものであるか否かについて以下に検討する。
　
（１）本願補正発明
　本願補正発明は、上記第２　１．の請求項１に記載した事項により特定されるとおりのものである。
　
（２）刊行物の記載事項
　これに対して、原査定の拒絶の理由で引用された本願の出願の日前に頒布された刊行物である特開２００３−３４８３２７号公報（以下、「刊行物１」という）には、図面とともに、次のア〜キの事項が記載されている。
ア．「【０００１】
【発明の属する技術分野】本発明は、画像に埋め込まれた情報を検出する情報検出方法および装置並びに情報検出方法をコンピュータに実行させるためのプログラムに関するものである。
【０００２】
【従来の技術】例えばＵＲＬのように、電子情報が存在する場所を表す情報をバーコードとして、あるいは電子透かしとして画像データに付与し、これをプリントアウトすることにより画像が記録されたプリント等の印刷物を得、この印刷物をスキャナ等の読取装置により読み取り、さらに読み取って得られた画像データを解析することにより、画像に付与された情報を検出し、電子情報が存在する場所にアクセスして電子情報を取得するようにしたシステムが広く用いられている（特許文献１、特許文献２、非特許文献１等）。」
　
イ．「【０００５】また、カメラ付き携帯端末装置を用いて上述したように情報が埋め込まれた印刷物を撮影し、上記と同様に電子情報が存在する場所の情報を検出することにより、カメラ付き携帯端末装置からその場所にアクセスして電子情報を取得することができる。」
　
ウ．「【００２１】さらに、本発明による情報検出方法においては、前記情報を前記画像に対応付けられた音声データの格納場所を表す格納場所情報とし、該格納場所情報に基づいて前記音声データを取得するようにしてもよい。」
　
エ．「【００３０】また、情報が画像に対応付けられた音声データのＵＲＬ等の格納場所を表す格納場所情報である場合、この格納場所情報に基づいて音声データの格納場所にアクセスして音声データを取得することにより、音声データを取得したユーザは画像に対応付けられた音声を再生して楽しむことができる。」
　
オ．「【００４２】なお、音声データＯ１は、印刷物Ｐに印刷する画像を表す画像データＳ１０を取得したユーザ（以下取得ユーザとする）が録音したものである。音声データＯ１は、デジタルカメラにおいて画像データＳ０の撮像時に録音されて画像データＳ１０とともにメモリカードに記録される。そして、取得ユーザがメモリカードを写真店に持参することにより、音声データＯ１は写真店から画像サーバ２にアップロードされる。なお、取得ユーザは、自分が所有するパソコンを用いてインターネット経由で音声データＯ１を画像サーバ２にアップロードしてもよい。一方、写真店においては、取得ユーザから受け取った画像データＳ１０をプリントアウトする際に、音声データＯ１の保管場所を表すＵＲＬが電子透かしとして画像データＳ１０に埋め込まれて画像データＳ１１が生成され、この画像データＳ１１がプリントアウトされて印刷物Ｐが生成される。」
　
カ．「【００４４】次いで、第１の実施形態の動作について説明する。図３は第１の実施形態の動作を示すフローチャートである。なお、カメラ付き携帯電話１のユーザ（以下受信ユーザとする）には、印刷物Ｐが渡されているものとする。まず、受信ユーザの指示により撮像部１１が印刷物Ｐを撮像し、印刷物Ｐの画像を表す画像データＳ０を取得する（ステップＳ１）。記憶部１５は画像データＳ０を一旦記憶する（ステップＳ２）。そして、歪み補正部１６が記憶部１５から画像データＳ０を読み出し、画像データＳ０に含まれる幾何学的ひずみを補正して補正画像データＳ１を取得する（ステップＳ３）。そして、情報検出部１７が、補正画像データＳ１に埋め込まれている音声データＯ１の保管場所のＵＲＬを表す情報Ｊ０を検出する（ステップＳ４）。情報Ｊ０を検出すると、通信部１４が公衆回線３を介して情報Ｊ０を画像サーバ２に送信する（ステップＳ５）。
【００４５】画像サーバ２の通信部２１は情報Ｊ０を受信し（ステップＳ６）、情報検索部２３が情報Ｊ０により表されるＵＲＬに基づいて情報記憶部２２から音声データＯ１を検索し（ステップＳ７）、通信部２１が検索した音声データＯ１を公衆回線３を介してカメラ付き携帯電話１に送信する（ステップＳ８）。
【００４６】　カメラ付き携帯電話１の通信部１４は音声データＯ１を受信し（ステップＳ９）、音声出力部１８が音声データＯ１を再生し（ステップＳ１０）、処理を終了する。」
　
キ．「【００４９】なお、上記第１の実施形態において、電子透かしに代えて、音声データＯ１の保管場所のＵＲＬをバーコードとして画像データＳ１０に付与してもよい。また、バーコードを画像データＳ１０により表される画像に近接させて印刷物Ｐに記録してもよい。この場合、画像サーバ２にバーコードと音声データＯ１の保管場所のＵＲＬとを対応付けた情報が保管され、カメラ付き携帯電話１からはバーコードを表すバーコード情報が画像サーバ２に送信される。画像サーバ２においては、バーコード情報に基づいて音声データＯ１の保管場所のＵＲＬが取得され、これに基づいて音声データＯ１が取得される。」
　
　以上の記載から、刊行物１には次の発明（以下、「刊行物１発明」という）が記載されている。
　
　デジタルカメラにおいて画像データの撮像時に録音された音声データが画像データとともにメモリカードに記録され、ユーザがメモリカードを写真店に持参することにより、前記音声データは写真店から画像サーバにアップロードされ、写真店においては、ユーザから受け取った前記画像データをプリントアウトする際に、前記音声データの保管場所を表すＵＲＬがバーコードとして画像データに付与されて画像データが生成され、この画像データがプリントアウトされて印刷物が生成されるシステム。
　
（３）対比
　本願補正発明と刊行物１発明とを対比する。
　
　刊行物１発明のシステムで生成される印刷物は、印刷された画像とともに、その画像の撮影時に録音された音声を再生するためのものであるから、該システムは、「音声付き画像を印刷物を介して提供するための音声付き画像提供システム」といえるものである。
　
　刊行物１発明において、画像データとともにメモリカードに記録された音声データは写真店から画像サーバ（本願補正発明の「ネットワーク上の音声データ蓄積サーバー」に相当）にアップロードされるのであるから、刊行物１発明のシステムは、「画像データに対応付けられている音声データを、ネットワーク上の音声データ蓄積サーバーに送信し保存させる送信手段」を備えているといえる。
　
　刊行物１発明は、前記音声データの保管場所を表すＵＲＬがバーコードとして画像データに付与されるものであり、該バーコードは後に音声データを取得して再生するためのものであるから、この「前記音声データの保管場所を表すＵＲＬ」、「バーコード」は、それぞれ、本願発明の「この送信手段により送信された音声データをネットワーク上で特定する識別情報」、「音声データ受信用コード」に相当する。
　したがって、本願補正発明と刊行物１発明とは、「この送信手段により送信された音声データをネットワーク上で特定する識別情報を表わす音声データ受信用コードを取得するコード取得手段と、このコード取得手段により取得された音声データ受信用コードと前記画像データとを対応付けた音声データ受信用コード付き画像データを生成する生成手段」を備える点で一致する。
　
　刊行物１発明のシステムは、音声データのアップロード、ＵＲＬからバーコードの生成、バーコードの画像データへの付与、画像データのプリントアウトをそれぞれ行う手段、及び、それらの手段を制御する制御手段を備えていることは明らかである。
　したがって、本願補正発明と刊行物１発明とは、「前記画像データに対応付けられている音声データを、前記送信手段により前記音声データ蓄積サーバーに送信させるとともに、この送信された音声データをネットワーク上で特定する識別情報を表わす音声データ受信用コードを、前記コード取得手段により取得させ、且つ、この取得された音声データ受信用コードと前記画像データとが対応付けられた、前記生成手段による生成の前記音声データ受信用コード付き画像データを前記印刷手段へ出力させる制御手段」を備える点で一致する。
　
　したがって、本願補正発明と刊行物１発明の一致点及び相違点は次のとおりである。
　
（一致点）
　音声付き画像を印刷物を介して提供するための音声付き画像提供システムであって、
　画像データに対応付けられている音声データを、ネットワーク上の音声データ蓄積サーバーに送信し保存させる送信手段と、
　この送信手段により送信された音声データをネットワーク上で特定する識別情報を表わす音声データ受信用コードを取得するコード取得手段と、
　このコード取得手段により取得された音声データ受信用コードと前記画像データとを対応付けた音声データ受信用コード付き画像データを生成する生成手段と、
　前記画像データに対応付けられている音声データを、前記送信手段により前記音声データ蓄積サーバーに送信させるとともに、この送信された音声データをネットワーク上で特定する識別情報を表わす音声データ受信用コードを、前記コード取得手段により取得させ、且つ、この取得された音声データ受信用コードと前記画像データとが対応付けられた、前記生成手段による生成の前記音声データ受信用コード付き画像データを前記印刷手段へ出力させる制御手段と
　を備えたことを特徴とする音声付き画像提供システム。
（相違点）
　本願補正発明は、「印刷すべき画像データに対応付けられている音声データの有無を判別する判別手段」を備え、制御手段は、「前記判別手段により、対応付けられている音声データが無いと判別された場合には、当該判別のあった前記画像データを印刷手段へ出力させ、前記判別手段により、対応付けられている音声データが有ると判別された場合には、」前記音声データ受信用コード付き画像データを前記印刷手段へ出力させるのに対し、刊行物１発明では、音声データの有無を判別する判別手段について特定されておらず、バーコードが付与された画像データ（本願補正発明の「前記音声データ受信用コード付き画像データ」）のプリントアウトの制御についてのみ言及されている点。
　
（４）判断
　相違点について検討する。
　
　刊行物１発明において、音声データは、デジタルカメラにおいて画像データの撮像時に録音されて画像データとともにメモリカードに記録されたものであるから、このデジタルカメラは、撮影時に音声を録音する機能を備えているものである。一方、このデジタルカメラを用いて該録音する機能を用いないで撮影を行い、画像データのみをメモリカードに記録するデジタルカメラの通常の使用法も当然に行われると考えられるから、メモリカードには、音声データが記録されている場合とされていない場合があるといえる。したがって、写真店（あるいはユーザ自身）が音声データをサーバにアップロードするためには、画像データに対応付けられた音声データの有無の確認が必要なのは自明なことである。
　また、音声録音機能を有するデジタルカメラで撮影した画像に、対応付けられた音声データが記録されているか否かを自動的に判別する判別手段自体は周知のもの（下記（＊）を参照）である。
　したがって、刊行物１発明において、画像データに対応付けられた音声データの有無の確認のために、該音声データの有無を判別する判別手段を備え、前記判別手段により、対応付けられている音声データが無いと判別された場合には、当該判別のあった前記画像データをプリントアウトし、前記判別手段により、対応付けられている音声データが有ると判別された場合には、バーコードを付与した画像データをプリントアウトする制御を行うこと、すなわち、本願補正発明の文言を用いれば、「印刷すべき画像データに対応付けられている音声データの有無を判別する判別手段」を備え、制御手段は、「前記判別手段により、対応付けられている音声データが無いと判別された場合には、当該判別のあった前記画像データを印刷手段へ出力させ、前記判別手段により、対応付けられている音声データが有ると判別された場合には、」前記音声データ受信用コード付き画像データを前記印刷手段へ出力させることは当業者が容易に想到し得ることである。
　
　よって、本願補正発明は、刊行物１発明に基づいて、当業者が容易に発明をすることができたものである。
　
（＊）拒絶査定で提示された刊行物である特開２００４−３５７０９２号公報には、以下のように記載されている。
「【００５２】
Ａ−２．第１実施形態の動作
　次に、上述した第１実施形態によるデジタルカメラの動作について説明する。ここで、図２は、本第１実施形態の動作を説明するためのフローチャートである。まず、ＣＰＵ１１は、撮影した静止画像、フラッシュメモリ１８に記録されている静止画像などを再生する際に、ステップＳ１０で、音声データがあるか否かを判断する。静止画像に音声データがない場合には、当該処理を終了し、通常の再生を行なう。」
　
（５）まとめ
　以上により、本願補正発明は、刊行物１に記載された発明に基づいて、当業者が容易に発明をすることができたものであるから、特許法第２９条第２項の規定により特許出願の際独立して特許を受けることができないものである。
　したがって、本件補正は、平成１８年改正前特許法第１７条の２第５項において準用する同法第１２６条第５項の規定に違反してなされたものであるから、同法第１５９条第１項において読み替えて準用する同法第５３条第１項の規定により却下すべきものである。
　
第３．本願発明について
１．本願発明
　平成２２年８月１１日付けの手続補正は上記のとおり却下されたので、本願の請求項に係る発明は、平成２２年４月２１日付け手続補正書の特許請求の範囲の請求項１ないし１０に記載された事項により特定されるものであるところ、その請求項１に係る発明（以下、「本願発明」という）は、次のとおりのものである。
　
「音声付き画像を印刷物を介して提供するための音声付き画像提供システムであって、
　印刷すべき画像データに対応付けられている音声データの有無を判別する判別手段と、
　この判別手段により、対応付けられている音声データが有ると判別された場合に、当該判別のあった前記画像データに対応付けられている音声データを、ネットワーク上の音声データ蓄積サーバーに送信し保存させる送信手段と、
　この送信手段により送信された音声データをネットワーク上で特定する識別情報を表わす音声データ受信用コードを取得するコード取得手段と、
　このコード取得手段により取得された音声データ受信用コードと前記画像データとを対応付けた音声データ受信用コード付き画像データを生成する生成手段と、
　この生成手段により生成された音声データ受信用コード付き画像データを印刷手段に出力する出力手段と
　を備えたことを特徴とする音声付き画像提供システム。」
  
２．刊行物の記載事項
　原査定の拒絶の理由で引用された刊行物、及び、その記載事項は、前記第２．２．（２）に記載したとおりである。
　
３．対比・判断
　本願発明は、前記第２．２．で検討した本願補正発明の判別手段による判別が、「対応付けられている音声データが無いと判別された場合」について限定する構成を省いたものである。
　そうすると、本願発明の特定事項を全て含み、さらに他の特定事項を付加したものに相当する本願補正発明が前記第２．２．（５）に記載したとおり、刊行物１に記載された発明に基づいて、当業者が容易に発明をすることができたものであるから、本願発明も、同様の理由により、刊行物１に記載された発明に基づいて当業者が容易に発明をすることができたものである。
　
第４．むすび
　以上のとおり、本願の請求項１に係る発明は、特許法第２９条第２項の規定により特許を受けることができない。
　したがって、本願は、その余の請求項について論及するまでもなく、拒絶すべきものである。
　よって、結論のとおり審決する。